(57)【要約】【課題】各画像形成装置の節電開始時刻を一括で変更する管理プログラム、画像形成システムおよび管理装置を提供する。【解決手段】管理装置２は、画像形成装置３が利用された時のスリープ解除時刻（利用時刻）の送信要求を画像形成装置３に行い、送信要求に対して応答した画像形成装置３から過去のスリープ解除時刻を受信し、スリープ解除時刻蓄積部３２に記憶させる。そして、スリープ解除時刻蓄積部３２に記憶された複数のスリープ解除時刻に基づき、所定時間内で利用がなかった当該所定時間の始まりの時刻を、画像形成装置３の新たな電源オフ設定時刻（節電開始時刻）とし、画像形成装置３に送信する。画像形成装置３は、現在時刻が新たな電源オフ設定時刻になった時に主電源をオフする。【選択図】図２
2013168047.tif 000002
【特許請求の範囲】
【請求項１】
節電開始時刻にシャットダウン処理またはパワーセーブ処理を行う１乃至複数の画像形成装置と通信可能に接続する管理装置のコンピュータを、
前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求手段、
前記記憶部に記憶された複数の前記過去の利用時刻に基づき、所定時間内で利用がなかった当該所定時間の始まりの時刻を、前記応答画像形成装置の新たな節電開始時刻とする節電開始時刻決定手段、および、
前記節電開始時刻を前記新たな節電開始時刻に変更させる指示を前記応答画像形成装置に送信するメッセージ生成手段、
として機能させることを特徴とする管理プログラム。
【請求項２】
前記管理装置のコンピュータを、
前記過去の利用時刻を前記記憶部に記憶させた後で、前記記憶部に記憶された前記過去の利用時刻を各時間帯で集計する更新手段として機能させ、
前記節電開始時刻決定手段を、前記更新手段が集計した各時間帯の集計値を参照して、前記集計値が０の時間帯を探索し、前記所定時間内の各時間帯の集計値が０である場合に、前記所定時間内の最初の時間帯における始まりの時刻を前記新たな節電開始時刻に決定するもの
として機能させることを特徴とする請求項１に記載された管理プログラム。
【請求項３】
前記管理装置のコンピュータは、管理者により時刻が入力される入力部をさらに備え、
前記管理装置のコンピュータを、
前記応答画像形成装置の新たな節電開始時刻を、前記入力部に入力された強制節電開始時刻で更新する時刻変更手段として機能させ、
前記メッセージ生成手段を、前記応答画像形成装置に前記強制節電開始時刻を送信するもの
として機能させることを特徴とする請求項２に記載された管理プログラム。
【請求項４】
節電開始時刻にシャットダウン処理またはパワーセーブ処理を行う１乃至複数の画像形成装置と、管理装置とが通信可能に接続される画像形成システムにおいて、
前記管理装置は、
前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求部と、
前記記憶部に記憶された複数の前記過去の利用時刻に基づき、所定時間内で利用がなかった当該所定時間の始まりの時刻を、前記応答画像形成装置の新たな節電開始時刻とする節電開始時刻決定部と、
前記節電開始時刻を前記新たな節電開始時刻に変更させる指示を前記応答画像形成装置に送信するメッセージ生成部と
を備え、
前記応答画像形成装置は、前記新たな節電開始時刻にシャットダウン処理またはパワーセーブ処理を実行することを特徴とする画像形成システム。
【請求項５】
前記管理装置は、さらに、
前記画像形成装置それぞれに対して、各時間帯内に含まれる前記過去の利用時刻の個数を集計し、前記各時間帯と、当該時間帯内に含まれる当該画像形成装置の前記過去の利用時刻の集計値とを対応付けて前記記憶部記憶させる履歴テーブル更新部を備え、
前記節電開始時刻決定部は、
前記履歴テーブル更新部が集計した集計値に基づき、前記集計値が０の時間帯を探索し、前記所定時間内の各時間帯の集計値が０である場合に、前記所定時間内の最初の時間帯における始まりの時刻を前記新たな節電開始時刻に決定する
ことを特徴とする請求項４に記載された画像形成システム。
【請求項６】
前記管理装置は、
管理者が視認可能なように画面に情報を表示する表示部と、
前記応答画像形成装置それぞれの節電開始時刻を、前記表示部に表示させる画面生成部と
を備えることを特徴とする請求項４または請求項５に記載された画像形成システム。
【請求項７】
前記管理装置は、
前記管理者により時刻が入力される入力部と、
前記応答画像形成装置の新たな節電開始時刻を、前記入力部に入力された強制節電開始時刻で更新する時刻変更手段と
を備え、
前記メッセージ生成手段は、前記応答画像形成装置に前記強制節電開始時刻を送信することを特徴とする請求項６に記載された画像形成システム。
【請求項８】
節電開始時刻にシャットダウン処理またはパワーセーブ処理を行う１乃至複数の画像形成装置と通信可能に接続する管理装置において、
前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求部と、
前記記憶部に記憶された複数の前記過去の利用時刻に基づき、所定時間内で利用がなかった当該所定時間の始まりの時刻を、前記応答画像形成装置の新たな節電開始時刻とする節電開始時刻決定部と、
前記節電開始時刻を前記新たな節電開始時刻に変更させる指示を前記応答画像形成装置に送信するメッセージ生成部と
を備えることを特徴とする管理装置。
【発明の詳細な説明】
【技術分野】
【０００１】
本発明は、管理プログラム、画像形成システムおよび管理装置に関し、特に、画像形成装置の電源を管理する管理装置が実行する管理プログラムと、画像形成装置および管理装置を備える画像形成システムと、その管理装置に関する。
【背景技術】
【０００２】
従来の画像形成装置は、定着器（ヒータ）が定着可能な稼動待機状態（印刷モード）と、パワーセーブ処理を行って少なくとも当該定着器への通電を遮断する省エネルギモード（スリープモード）とを備え、稼動待機状態から省エネルギモードへの移行時間を、画像形成装置の使用頻度によって変更することができた。この画像形成装置は、記憶手段に各曜日、各時間帯の使用状況を記憶し、使用頻度の少ない曜日、時間帯においては自動的に待機時間を短く設定することができた（特許文献１）。
【先行技術文献】
【特許文献】
【０００３】
【特許文献１】特開２００４−１０１９１９号公報
【発明の概要】
【発明が解決しようとする課題】
【０００４】
しかしながら、設定された時刻（節電開始時刻）に、主電源をオフにするシャットダウン処理、またはパワーセーブ処理を行って消費電力を低減する画像形成装置において、当該画像形成装置を管理する管理者は、当該画像形成装置を直接操作しないと節電開始時刻を変更することができなかった。そのため、複数台の画像形成装置を管理する管理者は、それら全ての画像形成装置を直接操作して、各画像形成装置の節電開始時刻を変更しなければならなかったため、手間がかかるという問題点があった。
【０００５】
本発明は、以上のような問題を解決するためになされたものであり、各画像形成装置の節電開始時刻を一括で変更する管理プログラム、画像形成システムおよび管理装置を提供することを課題とする。
【課題を解決するための手段】
【０００６】
前記課題を解決するために、本発明の管理プログラムは、節電開始時刻にシャットダウン処理またはパワーセーブ処理を行う１乃至複数の画像形成装置と通信可能に接続する管理装置のコンピュータを、前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求手段、前記記憶部に記憶された複数の前記過去の利用時刻に基づき、所定時間内で利用がなかった当該所定時間の始まりの時刻を、前記応答画像形成装置の新たな節電開始時刻とする節電開始時刻決定手段、および、前記節電開始時刻を前記新たな節電開始時刻に変更させる指示を前記応答画像形成装置に送信するメッセージ生成手段として機能させる。
【０００７】
また、本発明の画像形成システムは、節電開始時刻にシャットダウン処理またはパワーセーブ処理を行う１乃至複数の画像形成装置と、管理装置とが通信可能に接続される画像形成システムにおいて、前記管理装置は、前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求部と、前記記憶部に記憶された複数の前記過去の利用時刻に基づき、所定時間内で利用がなかった当該所定時間の始まりの時刻を、前記応答画像形成装置の新たな節電開始時刻とする節電開始時刻決定部と、前記節電開始時刻を前記新たな節電開始時刻に変更させる指示を前記応答画像形成装置に送信するメッセージ生成手段部とを備え、前記応答画像形成装置は、前記新たな節電開始時刻にシャットダウン処理またはパワーセーブ処理を実行する。
【０００８】
また、本発明の管理装置は、節電開始時刻にシャットダウン処理またはパワーセーブ処理を行う１乃至複数の画像形成装置と通信可能に接続する管理装置において、前記画像形成装置が利用された時の利用時刻の送信要求を前記画像形成装置それぞれに行い、前記送信要求に対して応答した応答画像形成装置から受信した過去の利用時刻を記憶部に記憶させる利用時刻要求部と、前記記憶部に記憶された複数の前記過去の利用時刻に基づき、所定時間内で利用がなかった当該所定時間の始まりの時刻を、前記応答画像形成装置の新たな節電開始時刻とする節電開始時刻決定部と、前記節電開始時刻を前記新たな節電開始時刻に変更させる指示を前記応答画像形成装置に送信するメッセージ生成部とを備える。
【発明の効果】
【０００９】
本発明によれば、管理装置から各画像形成装置の節電開始時刻を一括で変更することができる。このため、管理者の作業時間を短縮させることができる。
【図面の簡単な説明】
【００１０】
【図１】第１の実施形態に係る画像形成システムのブロック図である。
【図２】第１の実施形態に係る管理装置の構成を示すブロック図である。
【図３】管理装置の記憶部に記憶されるＩＰアドレス記憶部の一例を示す図である。
【図４】管理装置の記憶部に記憶されるスリープ解除時刻蓄積部の一例を示す図である。
【図５】管理装置の記憶部に記憶されるスリープ解除時刻履歴テーブルの一例を示す図である。
【図６】管理装置の記憶部に記憶される電源オフ設定時刻記憶部の一例を示す図である。
【図７】表示部に表示されるシャットダウン時刻設定画面の一例を示す図である。
【図８】第１の実施形態に係る画像形成装置の構成を示すブロック図である。
【図９】第１の実施形態に係る管理装置と画像形成装置とが実行する電源オフ設定時刻更新処理動作のフローチャートである。
【図１０】図９から続く、第１の実施形態に係る管理装置と画像形成装置とが実行する電源オフ設定時刻更新処理動作のフローチャートである。
【図１１】第２の実施形態に係る管理装置の構成を示すブロック図である。
【図１２】表示部に表示されるシャットダウン時刻設定画面の一例を示す図である。
【図１３】表示部に表示されるシャットダウン時刻変更画面の一例を示す図である。
【図１４】第２の実施形態に係る管理装置と画像形成装置とが実行する電源オフ設定時刻変更処理動作のフローチャートである。
【発明を実施するための形態】
【００１１】
次に、本発明の実施形態について、適宜、図面を参照しながら詳細に説明する。
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１２】
図１に示すように画像形成システム１は、管理装置２と、複数の画像形成装置３（３ａ，３ｂ，・・・）と、複数の通信端末装置４（４ａ，４ｂ，・・・）とを備え、これらはネットワークであるＬＡＮ５を介して通信可能に接続されている。
管理装置２は管理者６により管理され、通信端末装置４はユーザ７により操作される。
【００１３】
（管理装置２）
管理装置２は、画像形成装置３の電源オフ設定時刻（節電開始時刻）を管理する装置である。この管理装置２は、例えば、コンピュータ（Computer）である。詳細を後記する。
ここでいう電源オフ設定時刻とは、画像形成装置３のシステムが適切に終了する処理、すなわち、シャットダウン処理を実行する時刻である。
【００１４】
（画像形成装置３）
画像形成装置３は、通信端末装置４から送信された画像データに画像処理を行い、画像を媒体に形成する装置である。この画像形成装置３は、例えば、電子写真記録方式のプリンタ、ファクシミリ装置、複写機、ＭＦＰ（Multifunction Printer；複合機）などであるが、いかなる種類の画像形成装置であってもよい。
この画像形成装置３は、電源オフ設定時刻（節電開始時刻）に主電源をオフする装置である。
【００１５】
また、この画像形成装置３は、「印刷モード」または「スリープモード」で動作する。「印刷モード」は、通信端末装置４からＬＡＮ５を介して送信される印刷指示に応じて、画像形成装置３がすぐにでも媒体上に画像を形成することができる状態である。つまり、「印刷モード」は、画像処理部６４および画像形成部６５が処理を実行できる状態であり、定着器（ヒータ）が定着可能な稼動待機状態である。一方、「スリープモード」は、画像形成装置３がパワーセーブ処理を行って少なくとも当該定着器への通電を遮断し、消費電力を低減している状態である。
【００１６】
（通信端末装置４）
通信端末装置４は、ユーザ７により入力された印刷指示および印刷対象の画像データを画像形成装置３に送信する装置である。この通信端末装置４は、例えば、パーソナルコンピュータ（ＰＣ；Personal Computer）や携帯電話、スマートフォン（smart phone）、携帯情報端末（ＰＤＡ；Personal Digital Assistant）などである。
【００１７】
（ＬＡＮ５）
ＬＡＮ５は、例えば、有線／無線ＬＡＮ（Local Area Network）やＷＡＮ（Wide Area Network）などを介して、インターネットプロトコル（Internet Protocol）技術を利用して相互接続されるコンピュータネットワークである。また、ＬＡＮ以外にも、ZigBee（登録商標）やBluetooth（登録商標）などであってもよい。
【００１８】
［管理装置２の構成］
図２を用いて管理装置２が備える構成部について説明する。
管理装置２は、制御部１１と、記憶部１２と、通信接続部１３と、表示部１４と、入力部１５と、時刻取得部１６とを備える。
【００１９】
（制御部１１）
制御部１１は、例えば、ＣＰＵ（Central Processing Unit）で構成される。制御部１１を構成する各処理部の機能は、ＣＰＵが記憶部１２に格納される不図示のプログラムを展開し、実行することによって実現される。詳細を後記する。
（記憶部１２）
記憶部１２は、データやプログラムを記憶する記憶部であり、例えば、ＨＤＤ（Hard Disc Drive）、ＲＡＭ（Random Access Memory）、光ディスク等である。詳細を後記する。
【００２０】
（通信接続部１３）
通信接続部１３は、ＬＡＮ５と接続するインタフェースである。この通信接続部１３は、制御部１１（後記する通信制御部２１）に制御されて、外部装置である画像形成装置３（３ａ，３ｂ，・・・）および通信端末装置４（４ａ，４ｂ，・・・）と通信可能に接続する。
【００２１】
（表示部１４）
表示部１４は、ユーザが視認可能なように画面データを画像として画面に表示する表示部であり、例えば、ＬＣＤ（Liquid Crystal Display）やモニタなどである。
（入力部１５）
入力部１５は、ユーザからの要求を受け付ける入力部であり、例えば、キーボードやマウスなどである。
ここで、例えば、表示部１４および入力部１５は、ＬＣＤのような表示機能とタッチパッドのような位置入力機能との双方を兼ね備えたタッチパネルであってもよい。
（時刻取得部１６）
時刻取得部１６は、現在時刻を取得する構成部である。
【００２２】
［制御部１１の構成］
制御部１１は、通信制御部２１と、ユーザインタフェース制御部２２（画面生成部）と、利用時刻要求手段として機能するスリープ解除時刻要求部２３と、更新手段として機能する履歴テーブル更新部２４と、節電開始時刻決定手段として機能する電源オフ設定時刻決定部２５と、メッセージ生成手段として機能するメッセージ生成部２６とを備える。
【００２３】
（通信制御部２１）
通信制御部２１は、通信接続部１３を制御してデータの送受信を行う構成部である。
また、通信制御部２１は、通信接続部１３を介して受信したデータを解析し、解析結果に応じてデータを管理装置２が備える各構成部に出力する。
【００２４】
（ユーザインタフェース制御部２２）
ユーザインタフェース制御部２２は、入力部１５に入力された指示に応じて、表示部１４に表示させる画面データを生成したり、管理装置２が備える各構成部に処理を実行させる指示を出力したりする。
例えば、管理者６により入力部１５からシャットダウン時刻設定画面表示指示が入力された場合に、ユーザインタフェース制御部２２は、図７に示すシャットダウン時刻設定画面１４１を表示部１４に表示させる。図７は、管理者６によりさらに更新ボタン４４が押下された後のシャットダウン時刻設定画面１４１の状態を示している。このシャットダウン時刻設定画面１４１についての詳細は後記する。
また、ユーザインタフェース制御部２２は、シャットダウン時刻設定画面表示指示が入力されたときに、スリープ解除時刻要求部２３に処理を実行させる。
【００２５】
（スリープ解除時刻要求部２３）
スリープ解除時刻要求部２３は、画像形成装置３にスリープ解除時刻の送信を要求する構成部である。
このスリープ解除時刻要求部２３は、スリープモードを解除したときの時刻情報（スリープ解除時刻）を送信するよう要求するメッセージ（送信要求メッセージ）を作成し、通信制御部２１に、この送信要求メッセージを全ての画像形成装置３に送信させる。
その後、スリープ解除時刻要求部２３は、送信要求メッセージに対応する応答メッセージを、通信制御部２１を介して各画像形成装置３から取得し、その応答メッセージから時刻情報（スリープ解除時刻）を抽出し、スリープ解除時刻蓄積部３２に記憶させる。
【００２６】
（履歴テーブル更新部２４）
履歴テーブル更新部２４は、スリープ解除時刻履歴テーブル３２１を更新する構成部である。なお、スリープ解除時刻履歴テーブル３２１についての詳細は後記する。
この履歴テーブル更新部２４は、スリープ解除時刻蓄積部３２に記憶されたスリープ解除時刻を取得して、スリープ解除時刻履歴テーブル３２１のデータを更新する。
ここで、履歴テーブル更新部２４が処理を実行するタイミングは、スリープ解除時刻要求部２３が送信要求メッセージを通信制御部２１に出力した時から時間を計測し、この計測時間が所定時間を経過したタイミングでよい。この所定時間は、時間を計測し始めてから、送信要求メッセージの送信先全ての画像形成装置３から応答メッセージを受信するまでの十分な時間である。
【００２７】
（電源オフ設定時刻決定部２５）
電源オフ設定時刻決定部２５は、電源オフ設定時刻を決定する構成部である。
この電源オフ設定時刻決定部２５は、スリープ解除時刻履歴テーブル３２１（図５）を参照して、画像形成装置３毎に電源オフ設定時刻を決定する。そして、その電源オフ設定時刻を、各画像形成装置３と対応づけて電源オフ設定時刻記憶部３３に記憶させる。
ここで、電源オフ設定時刻決定部２５が処理を実行するタイミングは、図７に示すシャットダウン時刻設定画面１４１の更新ボタン４４が押下されたタイミングである。
また、電源オフ設定時刻決定部２５が電源オフ設定時刻を決定する手順については、詳細を後記する。
【００２８】
（メッセージ生成部２６）
メッセージ生成部２６は、画像形成装置３宛てのメッセージを生成する構成部である。
このメッセージ生成部２６は、後記する電源オフ設定時刻記憶部３３に記憶されたデータに基づき、画像形成装置３宛てに、電源オフ設定時刻を含めたメッセージを生成して、通信制御部２１に出力する。これにより、通信制御部２１は通信接続部１３を制御してメッセージに記載された画像形成装置３を宛先にしてメッセージを送信する。
ここで、メッセージ生成部２６が生成するメッセージは、例えば、電子メールである。メッセージ生成部２６は、画像形成装置３が解読可能なメッセージを生成する。
第１の実施形態において、メッセージ生成部２６は、電源オフ設定時刻決定部２５が電源オフ設定時刻を決定後に処理を実行する。
【００２９】
［記憶部１２の構成］
記憶部１２は、ＩＰアドレス記憶部３１と、スリープ解除時刻蓄積部３２（スリープ解除時刻履歴テーブル３２１）と、電源オフ設定時刻記憶部３３とを備える。
【００３０】
（ＩＰアドレス記憶部３１）
ＩＰアドレス記憶部３１は、各画像形成装置３（３ａ，３ｂ，・・・）のＩＰアドレスを記憶する記憶部である。
第１の実施形態においてＩＰアドレス記憶部３１には、図３に示すように、画像形成装置３を識別可能にし、キーとしての機能を有する「識別子」と、画像形成装置３に付与された「コンピュータ名」（ホスト名）と、画像形成装置３の「ＭＡＣアドレス」と、画像形成装置３に割り当てられた「ＩＰアドレス」とが対応付けて記憶される。
通信制御部２１は、このＩＰアドレスを用いて対応する画像形成装置３とデータの送受信を行う。
【００３１】
（スリープ解除時刻蓄積部３２）
スリープ解除時刻蓄積部３２は、スリープ解除時刻要求部２３が取得したスリープ解除時刻（利用時刻）を蓄積する記憶部である。第１の実施形態におけるスリープ解除時刻蓄積部３２に記憶されたスリープ解除時刻は、データベース化されて、スリープ解除時刻履歴テーブル３２１に整理されて記憶される。
第１の実施形態においてスリープ解除時刻蓄積部３２には、図４に示すように、「識別子」と、「スリープ解除時刻」と、そのスリープ解除時刻を取得した「日付」と、その日付から得られる「曜日」とが対応付けて記憶される。
【００３２】
（スリープ解除時刻履歴テーブル３２１）
スリープ解除時刻履歴テーブル３２１は、画像形成装置３ごとに用意され、図５に示すように、曜日別および時間帯別で復帰回数（集計値）を記憶する。
このスリープ解除時刻履歴テーブル３２１には、月曜から日曜の各曜日それぞれで、１８：００から翌日８：００までが正時（分や秒の端数のつかない時刻）から６０分ごとの単位で区切られた時間帯で、その時間帯内に含まれるスリープ解除時刻の集計値が記憶される。この集計値を復帰回数とする。この復帰回数とは、画像形成装置３の状態が、スリープモードから印刷モードに復帰した回数を意味する。
【００３３】
ここで、図５は画像形成装置３ａ（識別子がＩＤ０３０１、コンピュータ名がprinter301）のスリープ解除時刻履歴テーブル３２１である。例えば、月曜の１８：００〜１９：００の時間帯は復帰回数が３であり、つまり、その時間帯にはスリープ解除時刻が３つ存在する。また、月曜の２３：００〜翌０：００の時間帯より後の時間帯は復帰回数が０であり、スリープ解除時刻が存在しない。
【００３４】
（電源オフ設定時刻記憶部３３）
電源オフ設定時刻記憶部３３は、画像形成装置３それぞれの電源オフ設定時刻を記憶する記憶部である。この電源オフ設定時刻記憶部３３には、図６に示すように、電源オフ設定時刻決定部２５が決定した電源オフ設定時刻を、画像形成装置３（３ａ）の識別子（ＩＤ０３０１）と対応付けて曜日別で記憶される。
【００３５】
（シャットダウン時刻設定画面１４１）
ここで、図７に示すシャットダウン時刻設定画面１４１について説明する。
シャットダウン時刻設定画面１４１には、プリンタ名表示欄４１と、曜日欄４２と、シャットダウン設定時刻表示欄４３と、更新ボタン４４と、閉じるボタン４５と、画面遷移戻るボタン４６と、画面遷移進むボタン４７とが表示される。更新ボタン４４が押下される前は、プリンタ名表示欄４１、曜日欄４２、シャットダウン設定時刻表示欄４３は、それぞれ空欄表示である。
【００３６】
曜日欄４２は、曜日が入力される欄である。プルダウンなどのツールを用いて選択入力させる手段であっても構わない。
更新ボタン４４が押下されることで、プリンタ名表示欄４１には、ＩＰアドレス記憶部３１に記憶されたコンピュータ名が表示される。また、シャットダウン設定時刻表示欄４３には、電源オフ設定時刻決定部２５（図１）より決定された電源オフ設定時刻が表示される。
閉じるボタン４５は、シャットダウン時刻設定画面１４１を閉じるためのボタンである。また、管理者６は、画面遷移戻るボタン４６や画面遷移進むボタン４７を押下することで、シャットダウン時刻設定画面１４１に表示しきれなかった他の画像形成装置３の電源オフ設定時刻を表示させることができる。
【００３７】
［画像形成装置３の構成］
画像形成装置３は、図８に示すように、制御部６１と、記憶部６２と、通信接続部６３と、画像処理部６４と、画像形成部６５と、電源スイッチ部６６と、時刻取得部６７とを備える。
【００３８】
（制御部６１）
制御部６１は、例えば、ＣＰＵで構成される。制御部６１を構成する各処理部の機能は、ＣＰＵが記憶部６２に格納される不図示のプログラムを展開し、実行することによって実現される。詳細を後記する。
（記憶部６２）
記憶部６２は、データやプログラムを記憶する記憶部であり、例えば、ＨＤＤ、ＲＡＭ、光ディスク等である。詳細を後記する。
【００３９】
（通信接続部６３）
通信接続部６３は、ＬＡＮ５と接続するインタフェースである。この通信接続部６３は、制御部６１（後記する通信制御部６１１）に制御されて、外部装置である管理装置２および通信端末装置４（４ａ，４ｂ，・・・）と通信可能に接続する。
【００４０】
（画像処理部６４）
画像処理部６４は、印刷ジョブを解析して、印刷ジョブに含まれる画像データに画像処理を行う構成部である。この画像処理部６４は、スリープモードにおいて電力が供給されない。
この画像処理部６４は、ＤＳＰ（デジタルシグナルプロセッサ ；Digital Signal Processor）などで構成されるが、制御部１１が備えてもよい。
【００４１】
（画像形成部６５）
画像形成部６５は、現像装置、露光装置、感光ドラム、現像ローラ、転写ローラ、定着器（ヒータ）などを備え、ＣＰＵ（制御部６１）に制御されて、用紙などの媒体上に画像を形成（印刷）する構成部である。画像形成部６５は、内部に備える駆動部（各種ローラやベルト）を駆動することで、給紙カセットに載置された媒体を搬送する。画像形成部６５は、画像処理部６４による画像処理後の画像データに基づき露光装置が感光ドラムに静電潜像を形成し、現像ローラから電界の力によってトナーを移動して、静電潜像にトナーを付着させたトナー画像を形成する。そして、画像形成部６５は、感光ドラムに形成されたトナー画像を転写ローラで媒体に転写し、定着器（ヒータ）を用いて媒体上にトナー画像を加熱定着して、画像を媒体上に形成（印刷）して、媒体を排紙トレイに排出する。これにより、ユーザは、画像形成装置３から排出された媒体（印刷物）を回収することができる。
【００４２】
（電源スイッチ部６６）
電源スイッチ部６６は、画像形成装置３の主電源スイッチである。この電源スイッチ部６６は、画像形成装置３の電源をオフにする（少なくとも、画像形成装置３全体の制御を行う制御部１１（ＣＰＵ）への電力供給量を０にする）スイッチ（例えば、ラッチングリレー）の切り替えや、画像形成部６５が備える各種モータを駆動する電力や加熱ローラに内蔵されたハロゲンランプなどへの電力供給量を減らして待機電力を低減する省電力モードへの切り替えが行われる。
【００４３】
（時刻取得部６７）
時刻取得部６７は、現在時刻を取得する構成部である。
【００４４】
［制御部６１の構成］
制御部６１は、通信制御部６１１と、状態切替制御部６１２と、スリープ解除時刻取得部６１３と、要求応答部６１４と、電源オフ設定時刻更新部６１５と、シャットダウン処理部６１６とを備える。
【００４５】
（通信制御部６１１）
通信制御部６１１は、通信接続部６３を制御してデータの送受信を行う構成部である。
また、通信制御部６１１は、通信接続部６３を介して受信したデータを解析し、解析結果に応じてデータを画像形成装置３が備える各構成部に出力する。
【００４６】
（状態切替制御部６１２）
状態切替制御部６１２は、画像形成装置３の状態を、「印刷モード」または「スリープモード」に切り替える構成部である。
また、状態切替制御部６１２は、印刷モード時に通信端末装置４から印刷指示が所定時間なかったときにスリープモードに切り替える。そして、状態切替制御部６１２は、次の印刷指示を受信するまで、スリープモードで待機する。次の印刷指示を受信した時、状態切替制御部６１２は、「スリープモード」から「印刷モード」に切り替える。この所定時間は例えば５分程度であればよい。
【００４７】
（スリープ解除時刻取得部６１３）
スリープ解除時刻取得部６１３は、状態切替制御部６１２が「スリープモード」から「印刷モード」に切り替えた時、すなわち、スリープモードが解除された時に、時刻取得部６７から時刻を取得し、その時刻をスリープ解除時刻（利用時刻）として記憶部６２（後記するスリープ解除時刻記憶部６２１）に記憶させる。
【００４８】
（要求応答部６１４）
要求応答部６１４は、スリープ解除時刻の送信要求メッセージに対して、後記するスリープ解除時刻記憶部６２１に記憶されたスリープ解除時刻を全て取得して、それらを含む応答メッセージを生成する。そして、要求応答部６１４は、送信要求をした装置（管理装置２（図１））を宛先にして、その応答メッセージを通信制御部６１１に送信させる。
【００４９】
（電源オフ設定時刻更新部６１５）
電源オフ設定時刻更新部６１５は、電源オフ設定時刻メッセージから電源オフ設定時刻を抽出して、後記する電源オフ設定時刻記憶部６２２に記憶させる。
【００５０】
（シャットダウン処理部６１６）
シャットダウン処理部６１６は、後記する時刻取得部６７から現在時刻を取得し、その時刻が、後記する電源オフ設定時刻記憶部６２２に記憶された電源オフ設定時刻になった時に、画像形成装置３が適切に終了するように処理（シャットダウン）を開始し、最後に電源スイッチ部６６を制御して、主電源をオフする。
【００５１】
［記憶部６２の構成］
記憶部６２は、スリープ解除時刻記憶部６２１と、電源オフ設定時刻記憶部６２２とを備える。
（スリープ解除時刻記憶部６２１）
スリープ解除時刻記憶部６２１は、スリープ解除時刻（利用時刻）を蓄積して記憶する記憶部である。
（電源オフ設定時刻記憶部６２２）
電源オフ設定時刻記憶部６２２は、電源オフ設定時刻（節電開始時刻）を記憶する記憶部である。
【００５２】
［動作の説明］
図９〜図１０を参照して、管理装置２と画像形成装置３とが実行する電源オフ設定時刻更新処理について説明する（適宜、図１ないし図８を参照）。
【００５３】
（１．管理装置２）
まず、管理装置２にて、管理者６が入力部１５を操作して、表示部１４に「シャットダウン時刻設定画面１４１」を表示させるための操作を行う。
これにより、入力部１５からユーザインタフェース制御部２２に、シャットダウン時刻設定画面表示指示が入力される（ステップＳ１０１）。これに対して、ユーザインタフェース制御部２２は、スリープ解除時刻要求部２３に処理を実行させる。
【００５４】
スリープ解除時刻要求部２３は、ＩＰアドレス記憶部３１に記憶された全ての画像形成装置３のＩＰアドレスを取得して、それらＩＰアドレスを宛先にした送信要求メッセージを作成する（ステップＳ１０２）。そして、スリープ解除時刻要求部２３は、送信要求メッセージを通信制御部２１に出力する。
これにより、通信制御部２１は、通信接続部１３を制御して、送信要求メッセージを送信する（ステップＳ１０３）。
【００５５】
（２．画像形成装置３）
次に、送信要求メッセージを受信した画像形成装置３が行う処理について説明する。
通信接続部６３を介して、通信制御部６１１が送信要求メッセージを受信する（ステップＳ１０４）。通信制御部６１１は、送信要求メッセージを受信したことで、要求応答部６１４を起動させる。
要求応答部６１４は、まず、スリープ解除時刻記憶部６２１に記憶されたスリープ解除時刻を全て取得する（ステップＳ１０５）。そして、要求応答部６１４は、送信要求メッセージの送信元である管理装置２を宛先にし、取得した全てのスリープ解除時刻を含めて、応答メッセージを作成する（ステップＳ１０６）。そして、要求応答部６１４は、応答メッセージを通信制御部６１１に出力する。
これにより、通信制御部６１１は、通信接続部６３を制御して、応答メッセージを送信する（ステップＳ１０７）。
【００５６】
（３．管理装置２）
次に、応答メッセージを受信した管理装置２が行う処理について説明する。
通信接続部１３を介して、通信制御部２１が応答メッセージを受信する（ステップＳ１０８）。通信制御部２１は、受信した応答メッセージをスリープ解除時刻要求部２３に出力する。
スリープ解除時刻要求部２３は、応答メッセージに含まれる、送信元の画像形成装置３（ここでは画像形成装置３ａとする）の情報と、全てのスリープ解除時刻とを対応付けて、スリープ解除時刻蓄積部３２に記憶させる（ステップＳ１０９）。
そして、スリープ解除時刻要求部２３は、ステップＳ１０２で送信要求メッセージを作成したときに宛先にした全ての画像形成装置３から応答メッセージを受信する。
【００５７】
次に、履歴テーブル更新部２４が処理を実行する。履歴テーブル更新部２４は、スリープ解除時刻蓄積部３２に記憶されたスリープ解除時刻を取得して、スリープ解除時刻履歴テーブル３２１のデータを更新する（ステップＳ１１０）。
【００５８】
そして、ユーザインタフェース制御部２２は、シャットダウン時刻設定画面１４１を表示部１４に表示させる（ステップＳ１１１，図１０）。
例えば、管理者６が入力部１５を操作して図７の曜日欄４２に「月」を入力して、更新ボタン４４を押下する（ステップＳ１１２）。このトリガにより、電源オフ設定時刻決定部２５が処理を実行する。
【００５９】
電源オフ設定時刻決定部２５は、曜日欄４２に入力された情報「月」を取得し、スリープ解除時刻履歴テーブル３２１の月曜日のデータを参照して、各画像形成装置３の電源オフ設定時刻を決定する（ステップＳ１１３）。そして、電源オフ設定時刻決定部２５は、各画像形成装置３の電源オフ設定時刻を電源オフ設定時刻記憶部３３に記憶させる（ステップＳ１１４）。さらに、電源オフ設定時刻決定部２５は、ユーザインタフェース制御部２２を介して、シャットダウン時刻設定画面１４１に、各画像形成装置３の電源オフ設定時刻を表示させる（ステップＳ１１５）。
【００６０】
ここで、電源オフ設定時刻決定部２５による電源オフ設定時刻を決定する手順の一例について、スリープ解除時刻履歴テーブル３２１を用いて説明する。このスリープ解除時刻履歴テーブル３２１には、図５に示すように、各時間帯における復帰回数が記憶されている。
（１）電源オフ設定時刻決定部２５は、各時間帯の復帰回数を時系列順にチェックしていき、復帰回数が０の時間帯を探す。
（２）電源オフ設定時刻決定部２５は、ヒットした復帰回数が０の時間帯から後の３時間分の時間帯においても、それら時間帯の復帰回数が０であれば、ヒットした復帰回数が０の時間帯の正時を電源オフ設定時刻に決定する。
（３）電源オフ設定時刻決定部２５は、ヒットした復帰回数が０の時間帯から後の３時間分の時間帯において、復帰回数が１以上の時間帯があれば、その復帰回数が１以上の時間帯の次の時間帯から再び時系列順にチェックしていき、復帰回数が０の時間帯を探す。
（４）電源オフ設定時刻決定部２５は、スリープ解除時刻履歴テーブル３２１に記憶された最後の時間帯であっても、電源オフ設定時刻がまだ決定していない場合、その最後の時間帯の正時を電源オフ設定時刻に決定する。
以上の手順で電源オフ設定時刻決定部２５は電源オフ設定時刻を決定する。このように、電源オフ設定時刻決定部２５は、３時間以上復帰回数が０の時間帯、つまり、画像形成装置３が利用されていない時間帯を探索する。
【００６１】
ここで、図５に示す画像形成装置３ａ（printer301）のスリープ解除時刻履歴テーブル３２１を用いて説明する。
月曜日の18:00〜0:00の時間帯で復帰回数が１以上のスリープ解除時刻がある。その後の0:00〜1:00の時間帯では復帰回数が０である。この時間帯から後の３時間（1:00〜4:00）においても復帰回数が０である。そのため、電源オフ設定時刻決定部２５は、0:00を電源オフ設定時刻として決定する。
これにより、電源オフ設定時刻決定部２５は、電源オフ設定時刻が決定した画像形成装置３ａのコンピュータ名（printer301）をプリンタ名表示欄４１に表示させ、決定した電源オフ設定時刻（0:00）をシャットダウン設定時刻表示欄４３に表示させる。
【００６２】
また、木曜日は、18:00〜19:00が最初の復帰回数が０となる時間帯であり、22:00〜23:00がその次の復帰回数が０となる時間帯であるが、いずれの時間帯においてもその時間帯から後の３時間（19:00〜22:00、23:00〜2:00）において復帰回数が１となる時間帯があるため、電源オフ設定時刻とならない。その後の2:00〜3:00がその次の復帰回数が０となる時間帯である。この時間帯から後の３時間（3:00〜6:00）においても復帰回数が０である。そのため、電源オフ設定時刻決定部２５は、2:00を電源オフ設定時刻として決定する。
【００６３】
再び図１０に戻り、説明を続ける。
メッセージ生成部２６は、ＩＰアドレス記憶部３１に記憶された全ての画像形成装置３のＩＰアドレスを取得して、電源オフ設定時刻記憶部３３から各画像形成装置３の電源オフ設定時刻を取得する（ステップＳ１１６）。そして、メッセージ生成部２６は、画像形成装置３それぞれに電源オフ設定時刻を通知する電源オフ設定時刻メッセージを作成する（ステップＳ１１７）。そして、メッセージ生成部２６は、電源オフ設定時刻メッセージを通信制御部２１に出力する。
これにより、通信制御部２１は、通信接続部１３を制御して、電源オフ設定時刻メッセージを画像形成装置３に送信する（ステップＳ１１８）。
【００６４】
（４．画像形成装置３）
次に、電源オフ設定時刻メッセージを受信した画像形成装置３が行う処理について説明する。
通信接続部６３を介して、通信制御部６１１が電源オフ設定時刻メッセージを受信する（ステップＳ１１９）。通信制御部６１１は、受信した電源オフ設定時刻メッセージを電源オフ設定時刻更新部６１５に出力する。
電源オフ設定時刻更新部６１５は、電源オフ設定時刻メッセージに含まれる電源オフ設定時刻を抽出し（ステップＳ１２０）、電源オフ設定時刻記憶部６２２に電源オフ設定時刻を記憶させる（ステップＳ１２１）。
これにて、管理装置２と画像形成装置３とは、電源オフ設定時刻更新処理を終了する。
【００６５】
以上の処理により、シャットダウン処理部６１６は、現在時刻が、電源オフ設定時刻記憶部６２２に記憶された電源オフ設定時刻になった時に、電源スイッチ部６６に主電源をオフさせる。これにより画像形成装置３はシャットダウンする。
【００６６】
以上のように、第１の実施形態において、各画像形成装置３（３ａ，３ｂ，・・・）の電源オフ設定時刻を、１台の管理装置２が一括で決定することにより、管理者６が画像形成装置３を１台１台直接操作して、電源オフ設定時刻を確認し、変更するといった手間を省くことができる。
さらに、管理装置２は、各画像形成装置３（３ａ，３ｂ，・・・）の利用していない時間帯を探し出し、電源オフ設定時刻を設定するため、節電によるコストの削減を期待することができる。
【００６７】
《第２の実施形態》
第２の実施形態に係る管理装置２Ａについて説明する。
第２の実施形態に係る管理装置２Ａは、図１１に示すように、第１の実施形態に係る管理装置２に、さらに、電源オフ設定時刻変更部２７を備える。また、管理装置２Ａは、第１の実施形態に係る管理装置２とは一部機能が異なる構成部を備える。これらの構成部には同名称別符号を付し、制御部１１Ａ、メッセージ生成部２６Ａとした。詳細な説明は後記する。
ここで、メッセージ生成部２６Ａは、第１の実施形態に係るメッセージ生成部２６と同様の処理を行うため、説明を便宜的に省略する。
その他の構成は同様なので、説明を便宜的に省略する。
また、第２の実施形態において、表示部１４にはシャットダウン時刻設定画面１４１（図７）の代わりに、シャットダウン時刻設定画面１４１Ａ（図１２）が表示される。
【００６８】
（制御部１１Ａ）
制御部１１Ａは、第１の実施形態に係る制御部１１に、さらに、時刻変更手段として機能する電源オフ設定時刻変更部２７を備え、メッセージ生成部２６の一部機能が異なるメッセージ生成部２６Ａを備える。
【００６９】
（電源オフ設定時刻変更部２７）
電源オフ設定時刻変更部２７は、電源オフ設定時刻記憶部３３に記憶された電源オフ設定時刻を変更する構成部である。
電源オフ設定時刻変更部２７は、ユーザが入力部１５を操作して、指定された画像形成装置３（以下、「指定画像形成装置」とも称する。）と、入力された時刻（以下、「強制電源オフ設定時刻」と称する。）とをユーザインタフェース制御部２２を介して取得し、電源オフ設定時刻記憶部３３に記憶された指定画像形成装置に対応する電源オフ設定時刻を、強制電源オフ設定時刻に書き換える（上書き保存する）。
【００７０】
（メッセージ生成部２６Ａ）
第２の実施形態において、メッセージ生成部２６Ａは、第１の実施形態と同様に電源オフ設定時刻決定部２５が電源オフ設定時刻を決定後に処理を実行する。
さらに、メッセージ生成部２６Ａは、シャットダウン時刻変更画面１４２にて強制終了時刻が入力されて、保存ボタン５２が押下されたタイミングで処理を実行する。
【００７１】
［動作の説明］
図１４を参照して、第２の実施形態における管理装置２Ａと画像形成装置３とが実行する電源オフ設定時刻変更処理について説明する（適宜、図１ないし図１３を参照）。
【００７２】
（５．管理装置２）
ステップＳ１１５（図１０）の処理により、シャットダウン時刻設定画面１４１Ａ（図１２）には、各画像形成装置３の電源オフ設定時刻が表示されている。この電源オフ設定時刻を変更したい管理者６がシャットダウン時刻設定画面１４１Ａの変更ボタン４８を押下する（ステップＳ１３１）。このトリガにより、電源オフ設定時刻変更部２７が処理を実行する。
【００７３】
電源オフ設定時刻変更部２７は、ユーザインタフェース制御部２２を介して、表示部１４にシャットダウン時刻変更画面１４２（図１３）を表示させる（ステップＳ１３２）。
この図１３に示すシャットダウン時刻変更画面１４２は、管理者６が入力部１５を操作して、時刻入力欄５１に「２２：００」を入力した後の状態を示している。以下、管理者６により入力されたこの時刻を「強制電源オフ設定時刻」と称する。
【００７４】
管理者６は、強制電源オフ設定時刻を入力し、保存ボタン５２を押下する（ステップＳ１３３）。これにより、電源オフ設定時刻変更部２７は、時刻入力欄５１に入力された強制電源オフ設定時刻を取得して、電源オフ設定時刻記憶部３３に、画像形成装置３に対応させて強制電源オフ設定時刻を記憶させる（ステップＳ１３４）。これにより、電源オフ設定時刻記憶部３３に記憶された画像形成装置３に対応する電源オフ設定時刻が、強制電源オフ設定時刻で書き換えられる（上書き保存される）。
そして、電源オフ設定時刻変更部２７は、強制電源オフ設定時刻をメッセージ生成部２６Ａに出力する。
【００７５】
メッセージ生成部２６Ａは、ＩＰアドレス記憶部３１に記憶された、強制電源オフ設定時刻が書き換えられた画像形成装置３のＩＰアドレスを取得して、画像形成装置３に強制電源オフ設定時刻を通知する電源オフ設定時刻メッセージを作成する（ステップＳ１３５）。そして、メッセージ生成部２６Ａは、電源オフ設定時刻メッセージを通信制御部２１に出力する。
これにより、通信制御部２１は、通信接続部１３を制御して、電源オフ設定時刻メッセージを送信する（ステップＳ１３６）。
【００７６】
（６．画像形成装置３）
この強制電源オフ設定時刻を含む電源オフ設定時刻メッセージを受信した画像形成装置３は、ステップＳ１３７〜ステップＳ１３９の処理を行う。これらの処理は、図１０に示すステップＳ１１９〜ステップＳ１２１と同様の処理であるため、説明を省略する。
【００７７】
以上のように、第２の実施形態によれば、管理装置２Ａが決定した電源オフ設定時刻に対して不満がある場合、管理者６は強制電源オフ設定時刻に改めて設定することができる。
例えば、図５に示すスリープ解除時刻履歴テーブル３２１の木曜日のように、たまたま1:00〜2:00に利用があったために、電源オフ設定時刻決定部２５は、電源オフ設定時刻を2:00で決定し、電源オフ設定時刻記憶部３４に記憶（設定）されてしまう（図６参照）。このようなイレギュラーな結果が検出された場合にも、管理者６は電源オフ設定時刻を強制的に変更することができる。そのため、管理者６が意図しない電源オフ設定時刻が設定された場合でも変更して対応することができ、画像形成装置３の利便性の向上が期待できる。
【００７８】
《変形例》
本発明は、前記した実施形態に限定されることなく、本発明の要旨を逸脱しない範囲で種々の変更や変形を行うことができる。
例えば、スリープ解除時刻履歴テーブル３２１は、時間帯を１時間毎と設定しているが、１０分毎であってもよいし、１時間以上であってもよい。管理者６の利便性にあわせて探索条件を変更することが可能である。
同様に、電源オフ設定時刻決定部２５は、画像形成装置３が利用されていない時間帯を探索するにあたって、３時間以上復帰回数が０の時間帯を探索しているが、これも管理者６の利便性にあわせて探索条件を変更することが可能であり、１時間以上であってもよいし、また、復帰回数が３未満の時間帯を探索するとしてもよい。
【００７９】
また、画像形成装置３は、電源オフ設定時刻（節電時刻）に、パワーセーブ処理を行って「印刷モード」から「スリープモード」に移行してもよい。この場合、画像形成装置３のシャットダウン処理部６１６は、現在時刻が電源オフ設定時刻（節電時刻）になった時に、状態切替制御部６１２に「印刷モード」から「スリープモード」に移行させればよい。
【００８０】
また、画像形成装置３は、主電源がオフされていたり、画像形成装置３に問題がありデータの送受信ができなかったりした場合、その画像形成装置３から管理装置２（スリープ解除時刻要求部２３）に応答メッセージが送信されない。
よって、スリープ解除時刻要求部２３は、送信要求メッセージを送信してから、所定時間内に応答メッセージを受信しなかった画像形成装置３に対して、スリープ解除時刻蓄積部３２にスリープ解除時刻を記憶させることができない。
この場合、履歴テーブル更新部２４は、スリープ解除時刻蓄積部３２にすでに記憶されている過去のスリープ解除時刻を取得して、スリープ解除時刻履歴テーブル３２１のデータを更新することとする。
【００８１】
また、履歴テーブル更新部２４が処理を実行するタイミングは、応答メッセージを受信したタイミングであってもよい。すなわち、履歴テーブル更新部２４は、応答メッセージの受信があった送信元の画像形成装置３に対応するスリープ解除時刻履歴テーブル３２１のデータから順番に、履歴テーブルを逐次更新する。
【００８２】
図７に示すシャットダウン時刻設定画面１４１の更新ボタン４４が押下されたタイミングが、電源オフ設定時刻決定部２５が処理を実行するタイミングである。
ここで、スリープ解除時刻要求部２３が送信要求メッセージを送信してから所定時間（少なくとも、応答メッセージを十分受信できる時間＋履歴テーブル更新部２４の更新処理が終了する時間）が経過する前に、表示部１４にシャットダウン時刻設定画面１４１が表示されている場合、この時点では履歴テーブルの更新が完了していない。このとき、管理者６により更新ボタン４４が押下された場合は、表示部１４にエラーメッセージを表示させるようにする。
また、管理装置２は、表示部１４にシャットダウン時刻設定画面１４１を表示しているものの、更新ボタン４４を押下不可能な状態にしておき、所定時間が経過した後で、押下可能な状態にする指示をユーザインタフェース制御部２２に出力してもよい。また、履歴テーブルの更新が完了してから、シャットダウン時刻設定画面１４１の更新ボタン４４を押下可能な状態にしてもよい。
【００８３】
また、メッセージ生成部２６が処理を実行するタイミングは、図７に示すシャットダウン時刻設定画面１４１の閉じるボタン４５が押下されたタイミングであってもよい。
【符号の説明】
【００８４】
１      画像形成システム
２，２Ａ    管理装置
３      画像形成装置
４      通信端末装置
５      ＬＡＮ（ネットワーク）
６      管理者
７      ユーザ
１１，１１Ａ  制御部
１２    記憶部
１３    通信接続部
１４    表示部
１５    入力部
１６    時刻取得部
２１    通信制御部
２２    ユーザインタフェース制御部
２３    スリープ解除時刻要求部（利用時刻要求部）
２４    履歴テーブル更新部
２５    電源オフ設定時刻決定部（節電開始時刻決定部）
２６，２６Ａ  メッセージ生成部
２７    電源オフ設定時刻変更部（節電開始時刻変更部）
３１    ＩＰアドレス記憶部
３２    スリープ解除時刻蓄積部（利用時刻記憶部）
３３    電源オフ設定時刻記憶部
３２１  スリープ解除時刻履歴テーブル
【図１】
2013168047.tif 000003
【図２】
2013168047.tif 000004
【図３】
2013168047.tif 000005
【図４】
2013168047.tif 000006
【図５】
2013168047.tif 000007
【図６】
2013168047.tif 000008
【図７】
2013168047.tif 000009
【図８】
2013168047.tif 000010
【図９】
2013168047.tif 000011
【図１０】
2013168047.tif 000012
【図１１】
2013168047.tif 000013
【図１２】
2013168047.tif 000014
【図１３】
2013168047.tif 000015
【図１４】
2013168047.tif 000016